(57)【特許請求の範囲】
【請求項１】
２種以上の塗膜幅からなる道路標示線を塗布する道路標示線塗布機において、上方にガラスビーズタンクを配設し、このガラスビーズタンクの下方にガラスビーズの下方送り機構を配設し、この下方送り機構により下方に送られるガラスビーズを受ける受板を、前記ガラスビーズの下方送り機構の下方に配設し、前記受板の一方の端部に、２種以上の道路標示線の塗膜幅に応じてガラスビーズの散布幅が変えられるように、前記受板の一方の端部近傍に配設された一対のスリット孔が穿設されている固定当板と、この固定当板に対してスリット孔とボルトを介して前記受板を挟んで可動自在に取り付けられた一対の調整当板とより構成してなるガラスビーズ散布機構を配設したことを特徴とする道路標示線塗布機におけるガラスビーズ散布装置。
【請求項２】
請求項１に記載のガラスビーズ散布機構における固定当板は、一対のスリット孔が穿設されている端面が円弧状に形成されていることを特徴とする道路標示線塗布機におけるガラスビーズ散布装置。
【発明の詳細な説明】
【０００１】
【発明の属する技術分野】
本発明は、道路標示線塗布機におけるガラスビーズ散布装置に関するものである。
【０００２】
【従来の技術】
従来の道路標示線塗布機としては、例えば実公昭６０−２０６４８に示すごとく１個の塗布タンクで２種以上の塗布幅（例えば１５ｃｍ、２０ｃｍ、３０ｃｍなど）からなる道路標示線を塗布するようにしたものがあった。これによると、道路標示線塗布機の進行方向に対して塗布材流出口の後方にガラスビーズ散布器が配置されており、道路標示線の塗布直後に、この道路標示線の上からガラスビーズを散布するに際しては、道路標示線の幅に応じて、その都度ガラスビーズ散布器を交換する必要があった。
【０００３】
【発明が解決しようとする課題】
このように、従来においては、道路標示線の幅が変わるたびに、その幅に応じたガラスビーズ散布器を交換するために、作業が厄介であり、時間的にもロスがあった。道路標示線の幅に応じたガラスビーズ散布器を多数個必要とするため、経済コストが大であり、また、現場での部品の管理が面倒となるなどの欠点があった。本発明は、これらを解決するものであり道路標示線の幅を複数種類にも対応できる道路標示線塗布機におけるガラスビーズ散布装置を提供するものである。
【０００４】
【課題を解決するための手段】
本発明の道路標示線塗布機におけるガラスビーズ散布装置は、上記課題を解決すべきなされたものであり、２種以上の塗膜幅からなる道路標示線を塗布する道路標示塗布機において、上方にガラスビーズタンクを配設し、このガラスビーズの下方にガラスビーズタンクの下方送り機構を配設し、この下方送り機構により下方に送られるガラスビーズを受ける受板を、前記ガラスビーズの下方送り機構の下方に配設し、前記受板の一方の端部に、２種以上の道路標示線の塗膜幅に応じてガラスビーズの散布幅が変えられるように、前記受板の一方の端部近傍に配置された一対のスリット孔が穿設されている固定当板と、この固定当板に対してスリット孔とボルトを介して前記受板を挟んで可動自在に取り付けられた一対の調整当板とより構成してなるガラスビーズ散布機構を配設したことを特徴とする。
【０００５】
また、前記ガラスビーズ散布機構における固定当板は、一対のスリット孔が穿設されている端面が円弧状に形成してなることを特徴とする。
【０００６】
【発明の実施の形態】
本発明に係る道路標示線塗布機におけるガラスビーズ散布装置は、上述のように２種以上の塗布幅（例えば１５ｃｍ、２０ｃｍ、３０ｃｍなど）からなる道路標示線を塗布する道路標示線塗布機において、上方にガラスビーズタンクが配設されている。このガラスビーズタンクの下方には、ガラスビーズの下方送り機構が配設されている。この下方送り機構により下方に送られるガラスビーズを受ける受板が、前記ガラスビーズの下方送り機構の下方に配設されている。前記受板の一方の端部には、２種以上の道路標示線の塗膜幅に応じてガラスビーズの散布幅が変えられるガラスビーズ散布機構が配設されている。
【０００７】
また、前記ガラスビーズ散布機構は、受板の一方の端部近傍に配置された一対のスリット孔が穿設されている固定当板と、この固定当板に対してスリット孔とボルトを介して前記受板を挟んで可動自在に取り付けられてた一対の調整当板とより構成されている。
【０００８】
また、前記ガラスビーズ散布機構における固定当板は、円弧状に形成されている。このような道路標示線塗布機におけるガラスビーズ散布装置によれば、１台で２種以上の道路標示線の塗膜幅に応じてガラスビーズを均一に拡散させたり、均一に狭幅に散布させたりすることができる。
【０００９】
【実施例】
図１乃至図１１は、本発明に係る道路標示線塗布機におけるガラスビーズ散布装置の一実施例を説明するための説明図である。図１は、道路標示線塗布機の側面図である。図２は、本発明に係る道路標示線塗布機におけるガラスビーズ散布装置の要部を示す概略側面図であり、図３は、同一部切欠斜視図である。図４は、同分解展開図である。図５乃至図７は、ガラスビーズ散布機構の各セット状態を示した裏面図である。図８は、ガラスビーズ散布機構における固定当板の斜視図である。図９乃至図１１は、ガラスビーズ散布機構の各動作を説明するための説明図である。
【００１０】
図１乃至図１１において、１は手押し式道路標示線塗布機の架台で、この架台１の下面には、車輪２，２ａが取り付けられている。この架台１の上面には、塗布材を収納してある塗布材タンク３と、ガラスビーズを収納してあるガラスビーズタンク４と、プロパンボンベ５と、回転体駆動エンジン６とが取り付けられている。前記ガラスビーズタンク４には、ガラスビーズ散布装置７が連接されている。前記架台１の側部には、前記塗布材タンク３内の塗布材を収納するホッパー８が、ホッパー傾斜機構９によって支軸１０を中心として路面１２に対して塗布進行方向の前方または後方に傾斜可能に取り付けられている。
【００１１】
前記ホッパー８の内部には、図示しないエアーシリンダーで作動する塗布材流出口シャッターが取り付けられている。この塗布材流出口シャッターの下方には、回転体駆動エンジン６に連結している例えば金属製円筒状ドラム回転体と、円筒状ブラシ回転体とからなる塗布材噴射機構１１が配設されている。これら２個の回転体は、互いに接触しながら下方に向かって内接方向に回転し、塗布材を地面１２に噴射して道路標示線１３を塗布するように配設されている。前記ガラスビーズ散布装置７は、道路標示線塗布機の進行方向に対して前記塗布材噴射機構１１の後方に配置されており、道路標示線１３の塗布直後に、この道路標示線の上からガラスビーズ１４を散布している。（ガラスビーズの落下方向１４ａ）
【００１２】
前記ガラスビーズ散布装置７の構造について説明する。前記ガラスビーズタンク４の下方に、一対の駆動ゴムローラー１５ａ、従動ゴムローラー１５ｂからなるガラスビーズの下方送り機構１５が配設されている。一方の駆動ゴムローラー１５ａの回転軸１５ｃには、平ギヤ１６が固定されており、さらに、前記回転体駆動エンジン６に連結している道路標示線塗布機の車輪２の軸から動力伝達を受ける平ギヤ１７が固定されている。他方の従動ゴムローラー１５ｂの回転軸１５ｄには、前記平ギヤ１６と噛合する平ギヤ１８が固定されている。
【００１３】
１９は、前記一対のゴムローラー１５ａ、１５ｂ間の間隔を調整するための間隔調整用ボルト」である。２０は、ガラスビーズの落下口である。２１は、前記下方送り機構１５からガラスビーズの落下口２０を介して下方に送られるガラスビーズを受ける受板である。
前記下方送り機構１５の下方には、前記受板２１の一方の端部に、２種以上の道路標示線の塗膜幅に応じてガラスビーズの散布幅が変えられるガラスビーズ散布機構７ａが配設されている。
【００１４】
前記ガラスビーズ散布機構７ａは、前記受板２１の一方の端部近傍に配設された一対のスリット孔２２ａが穿設されている端面が円弧状に形成されている固定当板２２と、この固定当板２２に対してスリット孔２２ａと、ボルト２３，ナット２４とを介して、前記受板２１を挟んで相対向して可動自在に取り付けられた一対の調整当板２５とより構成されている。
【００１５】
前記固定当板２２の端面が円弧状に形成されているので、一対の調整当板２５の端部２５ｂを互いに一番外側に離間するよう移動させることができるので、ガラスビーズ１４を幅広の道路標示線１３の塗布直後に、幅広に均一に散布させることができる。２６は、図８に示すごとき前記固定当板２２の端面に蝶番２７によって取り付けた断面Ｌ字状カバー部材であり、前に倒すことによってガラスビーズが飛び散るのを防止することができる。
【００１６】
次に、本発明に係る道路標示線塗布機におけるガラスビーズ散布装置の作用について説明する。図５および図９に示したものは、ガラスビーズを挟幅に散布させる時の状態を示した図である。まず、ボルト２３、ナット２４を緩めて一対の調整当板２５の端部２５ｂが互いに接近するよう移動させ、しかる後、一対の調整当板２５をボルト２３、ナット２４で締めて前記固定当板２２に固定させる。このような状態にセットさせた時には、ガラスビーズの落下口２０より基準幅で散布落下されたガラスビーズ１４が受板２１を通って、調整当板２５のアール状部に２５ｃに当たり、狭幅の道路標示線１３の塗布直後に、このガラスビーズ１４を均一に狭幅に散布させることができる。
【００１７】
図６および図１０に示したものは、ガラスビーズを幅広に散布させる時の状態を示した図である。まず、ボルト２３、ナット２４を緩めて一対の調整当板２５の端部２５ｂを互いに離間するよう移動させて、これら一対の調整当板２５を平行にセットさせ、しかる後、一対の調整当板２５をボルト２３、ナット２４で締めて前記固定当板２２に固定させる。このような状態にセットさせた時には、このガラスビーズ１４を基準幅の道路標示線１３の塗布直後に、基準幅に均一に散布させることができる。
【００１８】
図７および図１１に示したものは、ガラスビーズを基準幅に散布させる時の状態を示した図である。まず、ボルト２３、ナット２４を緩めて一対の調整当板２５の端部２５ｂを互いに一番外側に離間するよう移動させ、しかる後、一対の調整当板２５をボルト２３、ナット２４で締めて前記固定当板２２のアール状部２２ｂに合わせて固定させる。このような状態にセットさせた時には、ガラスビーズ１４が受板２１に落下して、固定当板２２のアール状部２２ｂおよび調整当板２５のアール状部２５ｃに当たり、幅広の道路標示線１３の塗布直後に、このガラスビーズ１４を幅広に均一に散布させることができる。
【００１９】
このように、道路標示線の塗布施工において、標示用塗料の施工直後にガラスビーズを散布する時、１台のガラスビーズ散布装置によりガラスビーズの落下口２０から落下されるガラスビーズを、２種以上の道路標示線幅に応じて拡散および狭幅に散布させることができる。
【００２０】
【発明の効果】
本発明に係る道路標示線塗布機におけるガラスビーズ散布装置によれば、２種以上の塗膜幅からなる道路標示線を塗布する道路標示線塗布機において、上方にガラスビーズを配設し、このガラスビーズの下方にガラスビーズの下方送り機構を配設し、この下方送り機構により下方に送られるガラスビーズを受ける受板を、前記ガラスビーズの下方送り機構の下方に配設し、前記受板の一方の端部に、２種以上の道路標示線の塗膜幅に応じてガラスビーズの散布幅が変えられるガラスビーズ散布機構を配設したので、１台のガラスビーズ散布装置により２種以上の塗膜幅からなる道路標示線に対してガラスビーズを均一に散布することができることは勿論のこと、特に道路標示線に対するガラスビーズの散布幅の切換え作業に際しては、ガラスビーズ散布機構における受板を挟んで相対向して可動自在に設けた一対の調整当板の調整作業、即ち、ガラスビーズの散布幅の切換え作業を容易かつ迅速に行うことができ、その結果切換え作業の軽減、装置管理の容易性、経済性など、優れた作用効果を奏し得るものである。
【図面の簡単な説明】
【図１】  本発明に係る道路標示線塗布機におけるガラスビーズ散布装置の一実施例を示す全体の側面図である。
【図２】  本発明に係る道路標示線塗布機におけるガラスビーズ散布装置の要部を示す概略側面図である。
【図３】  同一部切欠斜視図である。
【図４】  同分解展開図である。
【図５】  ガラスビーズ散布機構の第１のセット状態を示した裏面図である。
【図６】  ガラスビーズ散布機構の第２のセット状態を示した裏面図である。
【図７】  ガラスビーズ散布機構の第３のセット状態を示した裏面図である。
【図８】  ガラスビーズ散布機構における固定当板の斜視図である。
【図９】  ガラスビーズ散布機構の第１のセット状態を説明するための説明図である。
【図１０】  ガラスビーズ散布機構の第２のセット状態を説明するための説明図である。
【図１１】  ガラスビーズ散布機構の第３のセット状態を説明するための説明図である。
【符号の説明】
１        手押し式道路標示線塗布機の架台
２        車輪
２ａ      車輪
３        塗布材タンク
４        ガラスビーズタンク
５        プロパンボンベ
６        回転体駆動エンジン
７        ガラスビーズ散布装置
７ａ      ガラスビーズ散布機構
８        ホッパー
９        ホッパー傾斜機構
１０      支軸
１１      塗布材噴射機構
１２      路面
１３      道路標示線
１４      ガラスビーズ
１４ａ    ガラスビーズの落下方向
１５      ガラスビーズの下方送り機構
１５ａ    駆動ゴムローラー
１５ｂ    従動ゴムローラー
１６      ギヤ
１７      ギヤ
１８      ギヤ
１９      間隔調整用ボルト
２０      ガラスビーズの落下口
２１      ガラスビーズ受板
２２      固定当板
２２ａ    スリット孔
２２ｂ    アール状部
２３      ボルト
２４      ナット
２５      調整当板
２５ａ    スリット孔
２５ｂ    端部
２５ｃ    アール状部
２６      断面Ｌ字状風防部材
２７      蝶番
【図１】
0003840719.tif 000002
【図２】
0003840719.tif 000003
【図３】
0003840719.tif 000004
【図４】
0003840719.tif 000005
【図５】
0003840719.tif 000006
【図６】
0003840719.tif 000007
【図７】
0003840719.tif 000008
【図８】
0003840719.tif 000009
【図９】
0003840719.tif 000010
【図１０】
0003840719.tif 000011
【図１１】
0003840719.tif 000012